(57)【要約】【課題】単一のリモコン送信機によりリモコン操作を行った視聴者側のデュアルビュー表示における映像に関わる遠隔操作を行うことができるようにする。【解決手段】映像処理コントロール回路２により第１映像データ及び第２映像データに基づいたデュアルビュー表示が行われているとき、第１映像データに対応するリモコン受信機６ａと、第２映像データに対応するリモコン受信機６ｂとによってリモコン送信機１０からのリモコン信号が受信されると、受信時間差判別部５によりどちらが先にリモコン信号を受信したかが判別され、映像処理制御回路４によりその判別結果に基づき、映像処理コントロール回路２による第１映像データ又は第２映像データに関わる映像処理がリモコン信号の内容に応じて制御されるようにした。【選択図】図２
2008065236.tif 000002
【特許請求の範囲】
【請求項１】
映像の表示制御を行う表示制御装置であって、
第１映像データ及び第２映像データに基づいてデュアルビュー表示を行わせる映像処理手段と、
前記第１映像データに対応し、映像処理に関わるリモコン信号を受信する第１の受信手段と、
前記第２映像データに対応し、映像処理に関わるリモコン信号を受信する第２の受信手段と、
前記第１及び第２の受信手段のどちらが先に前記リモコン信号を受信したかを判別する判別手段と、
該判別手段による判別結果に基づき、前記映像処理手段による前記第１映像データ又は前記第２映像データに関わる映像処理を前記リモコン信号の内容に応じて制御する映像処理制御手段とを備える
ことを特徴とする表示制御装置。
【請求項２】
前記判別手段は、前記リモコン信号の受信の時間差に基づき、前記第１及び第２の受信手段のどちらが先に前記リモコン信号を受信したかを判別することを特徴とする請求項１に記載の表示制御装置。
【請求項３】
前記判別手段による判別が不可能である場合、前記映像処理制御手段の制御によりエラー表示が行われることを特徴とする請求項１又は２に記載の表示制御装置。
【請求項４】
請求項１〜３のいずれかに記載の表示制御装置を具備することを特徴とする映像表示機器。
【請求項５】
映像の表示制御を行う表示制御方法であって、
第１映像データ及び第２映像データに基づいてデュアルビュー表示を行わせるステップと、
前記第１映像データに対応し、映像処理に関わるリモコン信号を第１の受信手段によって受信するステップと、
前記第２映像データに対応し、映像処理に関わるリモコン信号を第２の受信手段によって受信するステップと、
前記第１及び第２の受信手段のどちらが先に前記リモコン信号を受信したかを判別するステップと、
該判別結果に基づき、前記第１映像データ又は前記第２映像データに関わる映像処理を前記リモコン信号の内容に応じて制御するステップとを有する
ことを特徴とする表示制御方法。
【請求項６】
前記リモコン信号の受信の時間差に基づき、前記第１及び第２の受信手段のどちらが先に前記リモコン信号を受信したかを判別することを特徴とする請求項５に記載の表示制御方法。
【請求項７】
前記判別が不可能である場合、エラー表示が行われることを特徴とする請求項５又は６に記載の表示制御方法。
【発明の詳細な説明】
【技術分野】
【０００１】
本発明は、デュアルビュー表示での遠隔操作に応じた表示制御を行う表示制御装置、映像表示機器及び表示制御方法に関する。
【背景技術】
【０００２】
液晶表示パネルは、２枚のガラス基板の間に注入された異方性誘電率を有する液晶層を有し、その液晶層に印加する電界の強さを調整することで、ガラス基板を通過する光の量を調整し所望の静止画像や動画像を表示させる。このような液晶表示パネルは、軽量化、薄型化、低消費電力化等に優れており、携帯電話、カーナビ、ＰＤＡ、パーソナルコンピュータ、テレビジョン受像機等の身近な機器に限らず、計測機器、医療機器、産業機器全般等の表示器として採用されている。
【０００３】
ところで、このような液晶表示パネルでは、デュアルビューディスプレイ技術を採用することで、デュアルビュー表示を行うことができるようになっている。ここで、デュアルビュー表示とは、同一の表示画面で互いに異なる映像をそれぞれの視聴位置で視聴できるようにしたものである。
【０００４】
このようなデュアルビューディスプレイの基本原理は、複数の画素を有する液晶表示パネルの全面に、不透明領域によって隔たれた垂直な透光性スリットを複数有するスクリーンであるパララックスバリヤ（光学系分離素子）が配置されており、その透光性スリットを介し、視聴する位置に応じて異なる映像が見えるというものである。
【０００５】
ところで、このようなデュアルビュー表示では、それぞれの視聴者によって映像の切替操作等が行われた場合、どちらの映像に対しての切り替えが行われたかの識別が必要となる。
【０００６】
このようなデュアルビュー表示での切り替えの識別を行うようにしたものとして、特許文献１では、タッチパネルに視聴者Ａタッチ専用エリアと視聴者Ｂタッチ専用エリアとを設け、タッチパネルによるタッチ検出によって得られた座標データに基づき、視聴者Ａタッチ専用エリア又は視聴者Ｂタッチ専用エリアのいずれがタッチされたかの判断が行われ、タッチされた視聴者Ａタッチ専用エリア又は視聴者Ｂタッチ専用エリアに対応する映像を認識して表示動作を制御するようにするようにした表示装置を提案している。
【特許文献１】特開２００５−７１２８６号公報
【発明の開示】
【発明が解決しようとする課題】
【０００７】
このように、上述した特許文献１に示されている表示装置では、タッチパネルに視聴者Ａタッチ専用エリアと視聴者Ｂタッチ専用エリアとを設け、タッチされたエリアを判断してそのエリアに対応する映像を認識することにより、その映像の表示動作が制御されるようにしている。
【０００８】
ところが、画面に表示されるタッチ操作画面へのタッチ操作によって表示動作を制御すべき映像を判断するようにすると、一方の視聴者がタッチ操作画面へのタッチ操作を行っているとき、他方の視聴者が映像を視聴できなくなってしまう。
【０００９】
そこで、タッチパネルによるタッチ操作の代わりに、リモコン送信機による遠隔操作で一方の視聴者側の映像のみの操作が行われるようにすることにより、他方の視聴者が映像を視聴できなくなってしまうという不具合が解消されるものと考えられる。
【００１０】
この場合、それぞれの視聴者毎の専用のリモコン送信機を用意しておき、リモコン信号を受け取る受信側でいずれのリモコン送信機からのリモコン信号であるかを判別するようにすればよいと考えられる。その際、たとえばそれぞれのリモコン送信機のリモコン信号の周数帯域が異なるようにすることで、いずれのリモコン送信機からのリモコン信号であるかを判別することができ、リモコン送信機による遠隔操作が可能になる。
【００１１】
ところが、このように、それぞれの視聴者毎の専用のリモコン送信機を用意しておくと、リモコン送信機が複数必要となるばかりか、それぞれのリモコン送信機からのリモコン信号を復調するための処理回路がリモコン送信機の数だけ必要となり、構成が複雑なものとなってしまうという問題があった。
【００１２】
本発明は、このような状況に鑑みてなされたものであり、上記問題点を解決することができる表示制御装置、映像表示機器及び表示制御方法を提供することを目的とする。
【課題を解決するための手段】
【００１３】
本発明の表示制御装置は、映像の表示制御を行う表示制御装置であって、第１映像データ及び第２映像データに基づいてデュアルビュー表示を行わせる映像処理手段と、前記第１映像データに対応し、映像処理に関わるリモコン信号を受信する第１の受信手段と、前記第２映像データに対応し、映像処理に関わるリモコン信号を受信する第２の受信手段と、前記第１及び第２の受信手段のどちらが先に前記リモコン信号を受信したかを判別する判別手段と、該判別手段による判別結果に基づき、前記映像処理手段による前記第１映像データ又は前記第２映像データに関わる映像処理を前記リモコン信号の内容に応じて制御する映像処理制御手段とを備えることを特徴とする。
また、前記判別手段は、前記リモコン信号の受信の時間差に基づき、前記第１及び第２の受信手段のどちらが先に前記リモコン信号を受信したかを判別するようにすることができる。
また、前記判別手段による判別が不可能である場合、前記映像処理制御手段の制御によりエラー表示が行われるようにすることができる。
本発明の映像表示機器は、請求項１〜３のいずれかに記載の表示制御装置を具備することを特徴とする。
本発明の表示制御方法は、映像の表示制御を行う表示制御方法であって、第１映像データ及び第２映像データに基づいてデュアルビュー表示を行わせるステップと、前記第１映像データに対応し、映像処理に関わるリモコン信号を第１の受信手段によって受信するステップと、前記第２映像データに対応し、映像処理に関わるリモコン信号を第２の受信手段によって受信するステップと、前記第１及び第２の受信手段のどちらが先に前記リモコン信号を受信したかを判別するステップと、該判別結果に基づき、前記第１映像データ又は前記第２映像データに関わる映像処理を前記リモコン信号の内容に応じて制御するステップとを有することを特徴とする。
また、前記リモコン信号の受信の時間差に基づき、前記第１及び第２の受信手段のどちらが先に前記リモコン信号を受信したかを判別するようにすることができる。
また、前記判別が不可能である場合、エラー表示が行われるようにすることができる。
本発明の表示制御装置、映像表示機器及び表示制御方法では、第１及び第２の受信手段のどちらが先にリモコン信号を受信したかを判別することで、該判別結果に基づき、第１映像データ又は第２映像データに関わる映像処理がリモコン信号の内容に応じて制御される。
【発明の効果】
【００１４】
本発明の表示制御装置、映像表示機器及び表示制御方法によれば、第１及び第２の受信手段のどちらが先にリモコン信号を受信したかを判別し、該判別結果に基づき、第１映像データ又は第２映像データに関わる映像処理がリモコン信号の内容に応じて制御されるようにしたので、単一のリモコン送信機によりリモコン操作を行った視聴者側の映像に関わる遠隔操作を行うことができる。
【発明を実施するための最良の形態】
【００１５】
本実施形態では、第１及び第２の受信手段のどちらが先にリモコン信号を受信したかを判別し、該判別結果に基づき、第１映像データ又は第２映像データに関わる映像処理がリモコン信号の内容に応じて制御されるようにし、単一のリモコン送信機によりリモコン操作を行った視聴者側の映像に関わる遠隔操作が行われるようにした。
【実施例】
【００１６】
以下、本発明の実施例の詳細について説明する。図１は、本発明の表示制御装置を映像表示機器に適用した場合の一実施例を説明するための図である。
【００１７】
図１に示す映像表示機器１は、シングルビュー表示又はデュアルビュー表示を可能とするパララックスバリヤ（光学系分離素子）３ａを有する液晶表示パネル３と、リモコン受信機６ａ，６ｂとを備えている。
【００１８】
ここで、シングルビュー表示とは、後述の第１映像データ又は第２映像データのいずれか一方に応じた映像を視聴者Ａ及び視聴者Ｂが共に視聴することができるようにした表示モードである。一方、デュアルビュー表示とは、たとえば視聴者Ａは後述の第１映像データに応じた映像のみを視聴することができ、視聴者Ｂは後述の第２映像データに応じた映像のみを視聴することができるようにした表示モードである。これらの表示モードは、たとえばリモコン送信機１０からの切替操作によって表示切替が行われるようになっている。
【００１９】
またここで、シングルビュー表示又はデュアルビュー表示を可能とするパララックスバリヤ（光学系分離素子）３ａは、液晶表示パネル３の全面に重ね合わされるものであり、不透明領域によって隔たれた垂直な透光性スリットを複数有するスクリーンである。
【００２０】
すなわち、たとえば液晶表示パネル３の隣り合う画素が後述の第１映像データ又は第２映像データの復号処理されたそれぞれ異なるＡ／Ｖ信号に応じて駆動され、それぞれの隣り合う画素からの光がパララックスバリヤ（光学系分離素子）３ａの図示しない透光性スリットを通して空間上の規定された領域から見えるようにしたことで、デュアルビュー表示が行われる。
【００２１】
なお、シングルビュー表示の場合には、たとえば液晶表示パネル３の隣り合う画素が後述の第１映像データ又は第２映像データのいずれか一方の復号処理されたＡ／Ｖ信号に応じて駆動され、それぞれの隣り合う画素からの光がパララックスバリヤ（光学系分離素子）３ａの図示しない透光性スリットを通して空間上の規定された領域から見えるようになっている。
【００２２】
リモコン受信機６ａ，６ｂは、単一のリモコン送信機１０からのリモコン信号を受信するものであり、たとえば液晶表示パネル３の左右に距離をおいて配置されている。ここで、リモコン受信機６ａ，６ｂを２個設けている理由は、単一のリモコン送信機１０からのリモコン信号の受信時間差から、どちらのリモコン受信機６ａ，６ｂが先にリモコン信号を受信したかを判別してリモコン送信機１０を操作した視聴者Ａ又はＢの映像のみを操作可能とするためであるが、その詳細については後述する。
【００２３】
図２は、映像表示機器１の制御系を説明するための図である。同図に示す映像表示機器１の制御系１Ａは、映像処理コントロール回路２、映像処理制御回路４、受信時間差判別部５を備えている。
【００２４】
映像処理コントロール回路２は、たとえばデュアルビュー表示が選択されているとき、第１映像データと第２映像データとをそれぞれ復号処理し、それらの復号処理した第１映像データと第２映像データとのＡ／Ｖ信号を液晶表示パネル３に出力して液晶表示パネル３の表示動作をコントロールする。
【００２５】
また、映像処理コントロール回路２は、第１映像データ又は第２映像データのいずれか一方に基づいたシングルビュー表示が選択されているとき、その復号処理した第１映像データ又は第２映像データのＡ／Ｖ信号を液晶表示パネル３に出力して液晶表示パネル３の表示動作をコントロールする。
【００２６】
なお、Ａ／Ｖ信号を液晶表示パネル３に出力するに際しては、たとえば選局したデジタル放送信号の場合、そのデジタル放送信号を復調し、ＭＰＥＧ２符号化方式等で符号化されている映像、音声、データが多重されたトランスポートストリームから映像データ、音声データ、電子番組表データ等の各種データを分離・抽出し、その分離・抽出した映像データ及び音声データに対しＭＰＥＧ２等の復号処理が行われる。
【００２７】
また、液晶表示パネル３の表示動作がコントロールされる際は、第１映像データ及び／又は第２映像データ等の復号処理されたＡ／Ｖ信号に基づき、液晶表示パネル３の図示しないゲートドライバ及びソースドライバが駆動される。ゲートドライバは液晶表示パネル３の図示しない複数の画素を駆動するための走査電圧を印加し、ソースドライバは液晶表示パネル３の図示しない複数の画素を駆動するための書込み電圧を印加する。
【００２８】
また、第１映像データ及び第２映像データは、デジタル放送信号における映像データであってもよいし、ビデオ、ＣＤ、ＤＶＤ等を再生する再生機器からの映像データのいずれであってもよい。
【００２９】
映像処理制御回路４は、受信時間差判別部５によって先にリモコン信号を受信したと判別されたリモコン受信機６ａ又は６ｂに基づき、映像処理の対象となる第１映像データ又は第２映像データを認識し、映像処理コントロール回路２による映像処理をリモコン信号の内容に応じて制御する。
【００３０】
つまり、リモコン受信機６ａが視聴者Ａによって視聴される第１映像データに対応し、リモコン受信機６ｂが視聴者Ｂによって視聴される第２映像データに対応しているものとし、受信時間差判別部５によってリモコン受信機６ａが先にリモコン信号を受信したことが判別された場合、視聴者Ａ側の映像のみが操作可能とされる。また、受信時間差判別部５によってリモコン受信機６ｂが先にリモコン信号を受信したことが判別された場合、視聴者Ｂ側の映像のみが操作可能とされる。
【００３１】
受信時間差判別部５は、リモコン受信機６ａ及びリモコン受信機６ｂによるリモコン送信機１０からのリモコン信号の受信時間差に基づき、どちらが先にリモコン信号を受信したかを判別する。
【００３２】
すなわち、視聴者Ａ又は視聴者Ｂがリモコン送信機１０を操作すると、リモコン送信機１０からのリモコン信号がリモコン受信機６ａ及びリモコン受信機６ｂによって略同時に受信される。ところが、たとえば視聴者Ａがリモコン送信機１０を操作すると、リモコン受信機６ａまでのリモコン信号の到達距離Ｌ１がリモコン受信機６ｂまでの到達距離Ｌ２より短いため、リモコン受信機６ａ及びリモコン受信機６ｂによるリモコン信号の受信時間差が生じ、その時間差からリモコン受信機６ａが先にリモコン信号を受信したと判別される。
【００３３】
逆に、たとえば視聴者Ｂがリモコン送信機１０を操作すると、リモコン信号の到達距離がリモコン受信機６ａよりリモコン受信機６ｂの方が短くなるため、リモコン受信機６ａ及びリモコン受信機６ｂによるリモコン信号の受信時間差から、リモコン受信機６ｂが先にリモコン信号を受信したと判別される。
【００３４】
なお、リモコン送信機１０からのリモコン信号としては、赤外線又は超音波によるパルス信号を用いることができる。また、受信時間差判別部５による、リモコン受信機６ａ及びリモコン受信機６ｂによってのリモコン送信機１０からのリモコン信号の受信時間差の判別は、リモコン受信機６ａ及びリモコン受信機６ｂによって受信されたそれぞれのパルス信号のタイムラグを検出することで行うことが可能である。
【００３５】
ただし、たとえばリモコン受信機６ａ及びリモコン受信機６ｂの略中間でリモコン送信機１０が操作されると、リモコン受信機６ａ及びリモコン受信機６ｂへのリモコン信号の到達距離Ｌ１，Ｌ２が略等しくなり、リモコン受信機６ａ及びリモコン受信機６ｂによるリモコン信号の受信に時間差が無くなり、受信時間差判別部５によるリモコン信号の受信時間差の判別が困難となることもある。その場合には、液晶表示パネル３に判別不能等のエラーメッセージをたとえばＯＳＤ表示させ、再度、リモコン送信機１０の操作を促すようにすればよい。
【００３６】
次に、映像表示機器１による表示制御方法について説明する。なお、以下の説明においては、視聴者Ａがリモコン受信機６ａに近い方に位置し、視聴者Ｂがリモコン受信機６ｂに近い方に位置しているものとする。また、表示モードの選択において、シングルビュー表示が選択された場合、第１映像データに基づいた映像が表示されるものとし、デュアルビュー表示が選択された場合、視聴者Ａが第１映像データに基づいた映像を視聴し、視聴者Ｂが第２映像データに基づいた映像を視聴するものとする。
【００３７】
まず、図３に示すように、リモコン送信機１０による表示モードの選択が判別される（ステップＳ１）。ここで、シングルビュー表示が選択されたと判別されると、映像処理制御回路４により映像処理コントロール回路２が制御され、復号処理された第１映像データのＡ／Ｖ信号が液晶表示パネル３に出力される（ステップＳ２）。
【００３８】
これに対し、デュアルビュー表示が選択されたと判別されると、映像処理制御回路４により制御される映像処理コントロール回路２により、第１映像データと第２映像データとがそれぞれ復号処理され、それらの復号処理された第１映像データと第２映像データとのＡ／Ｖ信号が液晶表示パネル３に出力される（ステップＳ３）。
【００３９】
このとき、上述したパララックスバリヤ（光学系分離素子）３ａにより、視聴者Ａが第１映像データに基づいた映像を視聴し、視聴者Ｂが第２映像データに基づいた映像を視聴することができる。
【００４０】
ここで、たとえば視聴者Ａがリモコン送信機１０によって選局等の操作を行ったとすると、リモコン送信機１０からのリモコン信号がリモコン受信機６ａ及びリモコン受信機６ｂによって受信される（ステップＳ４）。
【００４１】
このとき、受信時間差判別部５により、リモコン受信機６ａ及びリモコン受信機６ｂによるリモコン信号の受信の時間差の判別が可能かどうかが判別される（ステップＳ５）。ここで、リモコン信号の受信に時間差がなければ、時間差の判別がＮＧとなり、映像処理制御回路４により映像処理コントロール回路２が制御され、液晶表示パネル３に判別不能等のエラーメッセージがＯＳＤ表示される（ステップＳ６）。これにより、再度、リモコン送信機１０の操作を促すことができる。
【００４２】
これに対し、時間差の判別がＯＫである場合は、リモコン受信機６ａ及びリモコン受信機６ｂのどちらが先にリモコン信号を受信したかの判別が行われる（ステップＳ７）。ここでは、リモコン受信機６ａまでのリモコン信号の到達距離Ｌ１がリモコン受信機６ｂまでの到達距離Ｌ２より短いため、リモコン受信機６ａ及びリモコン受信機６ｂによるリモコン信号の受信の時間差からリモコン受信機６ａが先にリモコン信号を受信したと判別される。
【００４３】
そして、映像処理制御回路４が受信時間差判別部５からの判別結果に基づき、そのリモコン信号が視聴者Ａが視聴している第１映像データに対応した選局等の操作であると認識し、映像処理コントロール回路２に対して第１映像データに対しての選局等の映像処理を指示する（ステップＳ８）。
【００４４】
このように、本実施例では、映像処理手段としての映像処理コントロール回路２により第１映像データ及び第２映像データに基づいたデュアルビュー表示が行われているとき、第１映像データに対応する第１の受信手段としてのリモコン受信機６ａと、第２映像データに対応する第２の受信手段としてのリモコン受信機６ｂとによってリモコン送信機１０からのリモコン信号が受信されると、判別手段としての受信時間差判別部５によりどちらが先にリモコン信号を受信したかが判別され、映像処理制御手段としての映像処理制御回路４によりその判別結果に基づき、映像処理コントロール回路２による第１映像データ又は第２映像データに関わる映像処理がリモコン信号の内容に応じて制御されるようにしたので、単一のリモコン送信機１０によりリモコン操作を行った視聴者側の映像に関わる遠隔操作を行うことができる。
【００４５】
また、本実施例では、受信時間差判別部５によるどちらが先にリモコン信号を受信したかの判別を、リモコン受信機６ａ，６ｂのリモコン信号の受信の時間差で行うようにしたので、受信時間差判別部５を比較的簡単な回路構成で作製することができる。
【００４６】
また、本実施例では、受信時間差判別部５による時間差の判別が不可能である場合、映像処理制御回路４の制御によりエラー表示が行われるようにしたので、リモコン送信機１０を操作する視聴者にリモコン送信機１０の再操作を促すことができる。
【産業上の利用可能性】
【００４７】
映像が表示されるものであればよく、テレビジョン受像機に限らず、ＰＤＡ、ノートパソコン、モバイル向けテレビ等のシステム機器にも適用可能である。
【図面の簡単な説明】
【００４８】
【図１】本発明の表示制御装置を映像表示機器に適用した場合の一実施例を説明するための図である。
【図２】図１の映像表示機器の制御系を説明するための図である。
【図３】図１の映像表示機器による表示制御方法について説明するためのフローチャートである。
【符号の説明】
【００４９】
１  映像表示機器
１Ａ  制御系
２  映像処理コントロール回路（映像処理手段）
３  液晶表示パネル
３ａ  パララックスバリヤ（光学系分離素子）
４  映像処理制御回路（映像処理制御手段）
５  受信時間差判別部（判別手段）
６ａ  リモコン受信機（第１の受信手段）
６ｂ  リモコン受信機（第２の受信手段）
１０  リモコン送信機
【図１】
2008065236.tif 000003
【図２】
2008065236.tif 000004
【図３】
2008065236.tif 000005